【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
遊技台に対応して設けられ遊技媒体の払出を行う台間装置であって、
遊技媒体の複数の払出種別と前記払出種別に対応する優先順位とを対応付けた情報を示す優先順位情報を記憶する記憶手段と、
遊技媒体の払出要求を受けた場合に、前記記憶手段から読み出した前記優先順位情報に基づいて払出対象となる前記払出種別を決定する決定手段と、
前記決定手段によって決定された前記払出種別で遊技媒体の払出を行う払出手段と
を備えたことを特徴とする台間装置。
【請求項２】
前記払出種別には、遊技客が獲得した遊技媒体の再遊技を行う場合に、手数料を取らずに払い出すものと、所定の条件で手数料を取ることができる払い出しを行うものが含まれることを特徴とする請求項１に記載の台間装置。
【請求項３】
前記払出種別には、遊技客に遊技媒体を貸し出すために払い出すものがさらに含まれることを特徴とする請求項２に記載の台間装置。
【請求項４】
前記優先順位情報における前記払出種別と前記優先順位との対応付けを変更する変更手段
をさらに備えたことを特徴とする請求項１〜３のいずれか一つに記載の台間装置。
【請求項５】
前記決定手段は、
決定した前記払出種別の残高が払出要求数に満たなかった場合には、前記優先順位情報に基づいて次の前記払出種別を決定し、
前記払出手段は、
前記決定手段によって決定された複数の前記払出種別で遊技媒体の払出を行うことを特徴とする請求項１〜４のいずれか一つに記載の台間装置。
【請求項６】
前記払出指示手段は、
前記払出種別にそれぞれ対応するものであって、
前記決定手段は、
操作された前記払出指示手段に対応する前記払出種別の残高が払出要求数に満たなかった場合には、前記優先順位に基づいて他の払出種別を決定し、
前記払出手段は、
前記決定手段によって決定された前記他の払出種別で遊技媒体の払出を行うことを特徴とする請求項１〜４のいずれか一つに記載の台間装置。
【請求項７】
前記決定手段は、
前記他の払出種別を決定した場合には、当該決定に対する承認操作が行われたことを条件として当該決定を有効とすることを特徴とする請求項５又は６に記載の台間装置。
【請求項８】
遊技台に対応して設けられ遊技媒体の払出を行う台間装置と前記台間装置を管理する管理装置とを有する払出システムであって、
前記台間装置は、
遊技媒体の複数の払出種別と前記払出種別に対応する優先順位とを対応付けた情報を示す優先順位情報を記憶する記憶手段と、
遊技媒体の払出要求を受けた場合に、前記記憶手段から読み出した前記優先順位情報に基づいて払出対象となる前記払出種別を決定する決定手段と、
前記決定手段によって決定された前記払出種別で遊技媒体の払出を行う払出手段と
を備え、
前記管理装置は、
前記優先順位情報を編集する編集手段と、
前記編集手段によって編集された前記優先順位情報を前記台間装置に対して送信する送信手段と
を備えたことを特徴とする払出システム。
【手続補正２】
【補正対象書類名】明細書
【補正対象項目名】００１８
【補正方法】変更
【補正の内容】
【００１８】
上述した課題を解決し、目的を達成するため、本発明は、遊技台に対応して設けられ遊技媒体の払出を行う台間装置であって、遊技媒体の複数の払出種別と前記払出種別に対応する優先順位とを対応付けた情報を示す優先順位情報を記憶する記憶手段と、遊技媒体の払出要求を受けた場合に、前記記憶手段から読み出した前記優先順位情報に基づいて払出対象となる前記払出種別を決定する決定手段と、前記決定手段によって決定された前記払出種別で遊技媒体の払出を行う払出手段とを備えたことを特徴とする。
また、本発明は、上記の発明において、前記払出種別には、遊技客が獲得した遊技媒体の再遊技を行う場合に、手数料を取らずに払い出すものと、所定の条件で手数料を取ることができる払い出しを行うものが含まれることを特徴とする。
また、本発明は、上記の発明において、前記払出種別には、遊技客に遊技媒体を貸し出すために払い出すものがさらに含まれることを特徴とする。
【手続補正３】
【補正対象書類名】明細書
【補正対象項目名】００１９
【補正方法】変更
【補正の内容】
【００１９】
また、本発明は、上記の発明において、前記優先順位情報における前記払出種別と前記優先順位との対応付けを変更する変更手段をさらに備えたことを特徴とする。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】変更
【補正の内容】
【００２２】
また、本発明は、上記の発明において、前記台間装置の前記決定手段は、決定した前記払出種別の残高が払出要求数に満たなかった場合には、前記優先順位情報に基づいて次の前記払出種別を決定し、前記台間装置の前記払出手段は、前記決定手段によって決定された複数の前記払出種別で遊技媒体の払出を行うことを特徴とする。
【手続補正７】
【補正対象書類名】明細書
【補正対象項目名】００２３
【補正方法】変更
【補正の内容】
【００２３】
また、本発明は、上記の発明において、前記台間装置の前記払出指示手段は、前記払出種別にそれぞれ対応するものであって、前記台間装置の前記決定手段は、操作された前記払出指示手段に対応する前記払出種別の残高が払出要求数に満たなかった場合には、前記優先順位に基づいて他の払出種別を決定し、前記台間装置の前記払出手段は、前記決定手段によって決定された前記他の払出種別で遊技媒体の払出を行うことを特徴とする。
【手続補正８】
【補正対象書類名】明細書
【補正対象項目名】００２４
【補正方法】変更
【補正の内容】
【００２４】
また、本発明は、上記の発明において、前記台間装置の前記決定手段は、前記他の払出種別を決定した場合には、当該決定に対する承認操作が行われたことを条件として当該決定を有効とすることを特徴とする。
【手続補正９】
【補正対象書類名】明細書
【補正対象項目名】００２５
【補正方法】変更
【補正の内容】
【００２５】
また、本発明は、遊技台に対応して設けられ遊技媒体の払出を行う台間装置と前記台間装置を管理する管理装置とを有する払出システムであって、前記台間装置は、遊技媒体の複数の払出種別と前記払出種別に対応する優先順位とを対応付けた情報を示す優先順位情報を記憶する記憶手段と、遊技媒体の払出要求を受けた場合に、前記記憶手段から読み出した前記優先順位情報に基づいて払出対象となる前記払出種別を決定する決定手段と、前記決定手段によって決定された前記払出種別で遊技媒体の払出を行う払出手段とを備え、前記管理装置は、前記優先順位情報を編集する編集手段と、前記編集手段によって編集された前記優先順位情報を前記台間装置に対して送信する送信手段とを備えたことを特徴とする。
【手続補正１０】
【補正対象書類名】明細書
【補正対象項目名】００２６
【補正方法】変更
【補正の内容】
【００２６】
本発明によれば、台間装置は、遊技媒体の複数の払出種別と払出種別に対応する優先順位とを対応付けた情報を示す優先順位情報を記憶し、遊技媒体の払出要求を受けた場合に、記憶から読み出した優先順位情報に基づいて払出対象となる払出種別を決定し、決定によって決定された払出種別で遊技媒体の払出を行うこととしたので、遊技媒体払出における遊技者の操作を簡略化しつつ、遊技者の不利益とならない遊技媒体払出を行うことができるという効果を奏する。
【手続補正１１】
【補正対象書類名】明細書
【補正対象項目名】００２７
【補正方法】変更
【補正の内容】
【００２７】
また、本発明によれば、優先順位情報における払出種別と優先順位との対応付けを変更することとしたので、たとえば、営業日によって手数料を変更する場合や、店舗によって払出種別ごとの手数料が違う場合であっても、柔軟に対応することができるという効果を奏する。
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】変更
【補正の内容】
【００３０】
また、本発明によれば、決定した払出種別の残高が払出要求数に満たなかった場合には、優先順位情報に基づいて次の払出種別を決定し、決定された複数の払出種別で遊技媒体の払出を行うこととしたので、遊技者の操作を簡略化することができるという効果を奏する。
【手続補正１５】
【補正対象書類名】明細書
【補正対象項目名】００３１
【補正方法】変更
【補正の内容】
【００３１】
また、本発明によれば、払出指示手段は、払出種別にそれぞれ対応するものであって、操作された払出指示手段に対応する払出種別の残高が払出要求数に満たなかった場合には、優先順位に基づいて他の払出種別を決定し、決定された他の払出種別で遊技媒体の払出を行うこととしたので、遊技者が従来の遊技方法を変えることなく、誤操作を防止することができるという効果を奏する。
【手続補正１６】
【補正対象書類名】明細書
【補正対象項目名】００３２
【補正方法】変更
【補正の内容】
【００３２】
また、本発明によれば、他の払出種別を決定した場合には、当該決定処理に対する承認操作が行われたことを条件として当該決定処理を有効とすることとしたので、遊技者の操作の簡略化ができるという効果を奏する。
【手続補正１７】
【補正対象書類名】明細書
【補正対象項目名】００３３
【補正方法】変更
【補正の内容】
【００３３】
また、本発明によれば、台間装置は、遊技媒体の複数の払出種別と払出種別に対応する優先順位とを対応付けた情報を示す優先順位情報を記憶し、遊技媒体の払出要求を受けた場合に、記憶された優先順位情報に基づいて払出対象となる払出種別を決定し、決定された払出種別で遊技媒体の払出を行い、管理装置は、優先順位情報を編集し、編集された優先順位情報を台間装置に対して送信することとしたので、遊技媒体払出における遊技者の操作を簡略化しつつ、遊技者の不利益とならない遊技媒体払出を行うことができるという効果を奏する。